(57)【要約】【課題】押え片が形成された外壁面上にヒケが発生することを抑制する軒樋継手を提供する。【解決手段】軒樋の端部間に跨って配され雨水の流路を形成する樋状体１０と、樋状体１０の両端部の内壁面１１に形成され、内壁面１１と共に軒樋の端部を嵌合させる嵌合凹所を形成する押え片１３Ａとを備え、押え片１３Ａは、樋状体１０の内壁面１１と間隔を空けて平行に、かつ、樋状体１０の断面形状に沿う方向に延在させた挟持壁部２５Ａと、  挟持壁部２５Ａの延在方向の一部分又は互いに離間する複数部分において内壁面１１と挟持壁部２５Ａとを連結させるとともに軒樋の端部の先端を当接させる当接部２６Ａと、を備えていることを特徴とする。【選択図】図５
2015040388.tif 000002
【特許請求の範囲】
【請求項１】
軒樋の端部間に跨って配されて雨水の流路を形成する樋状体と、この樋状体の両端部の内壁面に形成され、この内壁面と共に前記軒樋の端部を嵌合させる嵌合凹所を形成する押え片とを備え、
前記押え片は、前記樋状体の内壁面と間隔を空けて平行に、かつ、前記樋状体の断面形状に沿う方向に延在させた挟持壁部と、
前記挟持壁部の延在方向の一部分又は互いに離間する複数部分において前記内壁面と前記挟持壁部とを連結させるとともに前記軒樋の端部の先端を当接させる当接部と、を備えていることを特徴とする軒樋継手。
【請求項２】
前記当接部は、一端部が前記内壁面から離間して形成された当接補助部を有していることを特徴とする請求項１に記載の軒樋継手。
【請求項３】
前記当接部は、少なくとも前記挟持壁部の延在方向の両端部に設けられていることを特徴とする請求項１又は２に記載の軒樋継手。
【請求項４】
前記樋状体及び前記押え片が、メタリック粉末を含有する合成樹脂により形成されていることを特徴とする請求項１から３のいずれか一項に記載の軒樋継手。
【請求項５】
請求項１〜４のいずれか一項に記載の軒樋継手を用いて軒樋を接続させたことを特徴とする軒樋の接続構造。
【発明の詳細な説明】
【技術分野】
【０００１】
本発明は、軒樋継手及び軒樋の接続構造に関する。
【背景技術】
【０００２】
軒樋は、所定の長さ寸法で成形又は切断された複数のものを軒樋継手によって直線状に接続させたり、略直交する方向に接続させたりして、家屋等の軒先の直線部又はコーナー部に設置される。
軒樋継手としては、従来より、軒樋と略同形状に形成された樋状体と、樋状体の両端部の内壁面に形成された押え片とを備え、内壁面と押え片とによって形成された嵌合凹所に軒樋の端部を嵌合させるようになっているものが広く用いられている（例えば下記特許文献１）。
従来の軒樋継手の押え片は、前記内壁面から立ち上がって軒樋の端部の先端を当接させる当接部と、この当接部の先端から前記内壁面に平行に、かつ前記樋状体の開口部に向かって延設された挟持壁部とにより形成されている。そして、当接部は、前記挟持壁部と前記内壁面との間の全体に亘って形成されている。
このような軒樋継手は、一般的に塩化ビニル樹脂等の合成樹脂材料で射出成型法により製造されている。
【先行技術文献】
【特許文献】
【０００３】
【特許文献１】特開平７−２９２８９２号公報
【発明の概要】
【発明が解決しようとする課題】
【０００４】
ところで、従来の軒樋継手は、当接部が前記挟持壁部と前記内壁面との間の全体に亘って形成されていたため、射出成型法により製造した場合、軒樋継手の押え片が形成された樋状体の外壁面上に肉厚の相違によりヒケが発生し、軒樋継手の外観性を損ねてしまうことがあった。特に、アルミニウム、錫等のメタリック粉末を添加した合成樹脂で成形したメタリック調の軒樋継手の場合、外観として現れるヒケが顕著であった。
そこで本発明は、押え片が形成された外壁面上にヒケが発生することを抑制する軒樋継手を提供することを課題とする。
【課題を解決するための手段】
【０００５】
本発明は、軒樋の端部間に跨って配されて雨水の流路を形成する樋状体と、この樋状体の両端部の内壁面に形成され、この内壁面と共に前記軒樋の端部を嵌合させる嵌合凹所を形成する押え片とを備え、前記押え片は、前記樋状体の内壁面と間隔を空けて平行に、かつ、前記樋状体の断面形状に沿う方向に延在させた挟持壁部と、前記挟持壁部の延在方向の一部分又は互いに離間する複数部分において前記内壁面と前記挟持壁部とを連結させるとともに前記軒樋の端部の先端を当接させる当接部と、を備えていることを特徴とする。
この構成によれば、当接部が、前記挟持壁部の延在方向の一部分又は複数部分において、すなわち部分的に前記内壁面と前記挟持壁部とを連結させているため、樋状体の外壁面にヒケが発生することを抑制させることができる。
【０００６】
本発明の前記当接部は、一端部が前記内壁面から離間して形成された当接補助部を有していることが好ましい。
この構成によれば、当接補助部により軒樋の端部を当接させる面積が増えるため、軒樋の端部を安定的に固定することができる。
【０００７】
本発明の前記当接部は、少なくとも前記挟持壁部の延在方向の両端部に設けられていることが好ましい。
この構成によれば、挟持壁部の内壁面への固定を安定的に維持することができる。
【０００８】
本発明の前記樋状体及び前記押え片は、メタリック粉末を含有する合成樹脂により形成されていてもよい。
本発明によれば、メタリック粉末を含有する合成樹脂により形成されている場合であっても、ヒケの発生を抑制しヒケが目立つのを抑制することができる。
【０００９】
本発明の軒樋の接続構造は、上記いずれかの軒樋継手を用いて軒樋を接続させたことを特徴とする。
この構成によれば、軒樋の接続構造すなわち軒樋継手により接続された軒樋の全体の外観性が向上する。
【発明の効果】
【００１０】
本発明によれば、軒樋継手及び軒樋同士が接続された軒樋の接続構造の全体の外観性が向上するという効果を奏する。
【図面の簡単な説明】
【００１１】
【図１】本発明の一実施形態にかかる軒樋継手に接続される軒樋の側面図である。
【図２】本発明の一実施形態にかかる軒樋継手に軒樋の端部を接続する状態を示した斜視図である。
【図３】本発明の一実施形態にかかる軒樋継手を示した斜視図である。
【図４】本発明の一実施形態にかかる軒樋継手に軒樋の端部を接続させた状態のＹ−Ｙ線で矢視した側断面図である。
【図５】本発明の一実施形態にかかる軒樋継手の要部を拡大して示した側面図である。
【図６】本発明の他の実施形態にかかる軒樋継手の要部を示した側面図である。
【発明を実施するための形態】
【００１２】
以下、図面を参照して、本発明の軒樋継手を実施するための形態について説明する。
図１に示すように、本発明の一実施形態である軒樋継手１（図２参照）に接続される軒樋２は、軒樋吊具（不図示）を介して家屋の軒先Ｅの先端（紙面奥行き方向に延在）に沿って軒先Ｅの下方に設置される雨樋部材であり、断面視略多角形状に形成されている。
【００１３】
軒樋２は、雨水の流路Ｒを一方向に形成するよう軒先Ｅの延在方向（紙面奥行き方向）に配される底板３と、底板３の短手方向の一端部３ａから立設され、家屋の鼻隠板側（不図示）に配置される後方側板４と、底板３の同他端部３ｂ側から立設され、軒先Ｅの外側に配置される前方側板５とを備えている。なお、前方側板５の下部には、軒先Ｅの延在方向に平行に延在する段差部６が形成されている。この段差部６は、前方側板５の外表面５ｓを流れる雨水の水切り部（段差部６を水切り部６と称する）を構成している。
【００１４】
前方側板５及び後方側板４の各上端部５ｔ，４ｔには、不図示の軒樋吊具に係止させる前方耳部７及び後方耳部８が設けられている。これら前方耳部７及び後方耳部８は、共に前方側板５及び後方側板４の上端に沿って連続して形成されている。
【００１５】
図２，図３に示すように、軒樋継手１は、“曲り”と呼ばれ、図１に示す軒先Ｅの出隅コーナー部に用いられるもので、平面視した形状がほぼＬ字状に形成されている。
この軒樋継手１は、軒樋２の端部２ａ，２ａ間に跨って配され雨水の流路Ｒを形成する樋状体１０と、樋状体１０の両端部１０ａ，１０ａの内壁面１１に形成され、この内壁面１１と共に軒樋２の端部２ａを嵌合させる嵌合凹所１２を形成する押え片１３Ａ，１３Ｂとを備えている。
【００１６】
図４は、図２の軒樋２をその端部２ａの近傍のＹ−Ｙ線で矢視した側断面図である。樋状体１０は、図４に示すようにその内壁面１１側に軒樋２の端部２ａを略隙間なく嵌合させることができるよう、軒樋２の端部２ａの外形に沿って、軒樋２の端部２ａよりもやや大きく形成されている。
具体的には、樋状体１０は、図３，図４に示すように軒樋２（図４参照）の形状に対応して底壁部１４と、底壁部１４の幅方向の一端部から立設され、鼻隠板側に配置される後方側壁部１５と、底壁部１４の同他端側から立設され、軒先の外側に配置される前方側壁部１６とを備えている。また、前方側壁部１６の下部には、軒樋２の水切り部６の形状に合わせて水切り部１７が形成されている。
【００１７】
図３に示すように、前方側壁部１６の流路Ｒ方向の端部１６ａの上端１６ｂには、軒樋２の前方耳部７を嵌合させて軒樋２の端部２ａを樋状体１０の内側に固定する嵌合爪１８が形成されている。また、後方側壁部１５の両端部の上端にも同様に、軒樋２の後方耳部８を嵌合せて軒樋２の端部２ａを樋状体１０の内側に固定する嵌合爪１９が形成されている。
【００１８】
押え片１３Ａ，１３Ｂは、樋状体１０の前方側壁部１６から底壁部１４に至る部分と、後方側壁部１５から底壁部１４に至る部分とにそれぞれ形成されている。
図５は、図４において二点鎖線で示したサークルＤで囲まれた部分を拡大して示した図である。図５においては、軒樋２の図示を省略している。
図４，図５に示すように、押え片１３Ａは、軒樋２の端部２ａの嵌合時に、軒樋２の端部２ａを内壁面１１とで挟持するように押える挟持壁部２５Ａと、軒樋２の端部２ａの先端を当接させる当接部２６Ａとを備えている。
【００１９】
挟持壁部２５Ａは、図３に示すように略短冊状の平板部材を軒樋２の内面形状に略沿うように（すなわち、樋状体１０の断面形状に沿って）折曲して形成されたものであり、図５に示すように樋状体１０の内壁面１１との間隔を空けつつ平坦な面２５ａを内壁面１１に平行に配して、図３に示す雨水の流路Ｒに対し交叉する方向（すなわち樋状体１０の断面形状）に沿って延在するよう配置されている。
【００２０】
詳細には、挟持壁部２５Ａは、図５に示すように、樋状体１０の断面形状に沿う長手方向の一端部２７を前方側壁部１６の鉛直方向略中央部付近に配し、中間部２８を水切り部１７に対応する部分に沿わせ、同他端部２９を底壁部１４の幅方向中間部に配している。
【００２１】
当接部２６Ａは、図３に示すように挟持壁部２５Ａの短手方向の奥側（すなわち樋状体１０の端部１０ａの開口部３０側と反対側）の端部３１に向かって、内壁面１１から立ち上がる壁部である。
当接部２６Ａは、図５に示すように挟持壁部２５Ａの長手方向の互いに離間する複数部分において、内壁面１１と挟持壁部２５Ａとを連結させている。具体的には、当接部２６Ａは、挟持壁部２５Ａの一端部２７と、中央部近傍から他端部２９に至る領域Ｐ１とにおいて内壁面１１と挟持壁部２５とを連結させている。
【００２２】
そして、この当接部２６Ａは、挟持壁部２５Ａと内壁面１１とを連結させている連結部Ｃ１，Ｃ２以外の部分においては、端部３２が内壁面１１から離間した位置（すなわち挟持壁部２５と内壁面１１との間）に形成された当接補助部３３を有している。言い換えると、当接部２６Ａには、前方側壁部１６の内壁面１１に沿って、この内壁面１１を開口端部の一部とする貫通孔３４が形成され、貫通孔３４が形成された部分の前方側壁部１６の厚さ寸法が押え片１３Ａが設けられていない部分の厚さと同寸法となる構成となっている。
【００２３】
図４に示すように、挟持壁部２５Ｂは、その長手方向の一端部４０を後方耳部８近傍の下方に配し、中間部４１を後方側壁部１５と底壁部１４との角部に沿わせ、同他端部４２を底壁部１４の幅方向中間部に配している。なお、他端部４２は、挟持壁部２５Ａの他端部２９と間隔を空けて配されている。
【００２４】
また、当接部２６Ｂには、図５に図示するような貫通孔３４が形成されることなく、挟持壁部２５Ｂの長手方向の全体に亘って内壁面１１と挟持壁部２５Ｂとを連結させている。
【００２５】
以上の構成の下に、当接部２６Ａは、挟持壁部２５Ａを内壁面１１に向かって倒れ込ませることなく、軒樋２の端部２ａの肉厚分の隙間３５を形成しつつ挟持壁部２５Ａと内壁面１１とを連結させ、かつ、図２に示すように軒樋２の端部２ａを嵌合させた際に端部２ａの先端を当接させて確実に保持することができるようになっている。
そして、押え片１３Ａと内壁面１１とにより軒樋２の端部２ａを嵌合させる嵌合凹所１２が形成されている。
【００２６】
同様に、当接部２６Ｂは、挟持壁部２５Ｂを内壁面１１に向かって倒れ込ませることなく、軒樋２の端部２ａの肉厚分の隙間３５を形成しつつ挟持壁部２５Ｂと内壁面１１とを連結させ、かつ、軒樋２の端部２ａを嵌合させた際に端部２ａの先端を当接させて保持することができるようになっている。
そして、押え片１３Ｂと内壁面１１とにより軒樋２の端部２ａを嵌合させる嵌合凹所１２が形成されている。
【００２７】
樋状体１０及び押え片１３Ａ，１３Ｂの成形に用いられる樹脂材料としては、特に限定されないが、ポリエチレン樹脂、ポリプロピレン樹脂、塩化ビニル樹脂、ポリスチレン樹脂、ＡＢＳ樹脂、ＡＳＡ樹脂、ＡＥＳ樹脂、ＡＳ樹脂、アクリル樹脂、ポリカーボネート樹脂等の熱可塑性樹脂が挙げられる。これらは単独又は２種以上組み合わせて用いてもよい。なお、前記ＡＥＳ樹脂とは、アクリロニトリルとエチレンプロピレンゴムとスチレンという３種類のモノマーを重合させて形成されるもので、耐衝撃性や耐候性が大きいという性質を有するものである。
【００２８】
また、樋状体１０及び押え片１３Ａ，１３Ｂとしては、前記熱可塑性樹脂材料にアルミニウム、錫等のメタリック粉末を含有させた合成樹脂材料を用いることもできる。メタリック粉末としては扁平状のアルミニウムが好適である。
なお、メタリック粉末を上記熱可塑性樹脂に含有させる場合、メタリック粉末の含有量は、上記熱可塑性樹脂１００重量部に対し、０．５〜５．０重量部とすることが望ましい。
【００２９】
次に、軒樋継手１の使用方法について説明する。
軒樋継手１に軒樋２の端部２ａを嵌合させて固定するには、図２に示すように樋状体１０の端部１０ａの先端と押え片１３Ａ，１３Ｂとの間の内壁面１１上に、流路Ｒに直交する方向に接着剤５０を塗布し、軒樋２の端部２ａを嵌合凹所１２に嵌合させる。
【００３０】
そうすると、軒樋２の端部２ａが樋状体１０の内壁面１１に沿って摺動することにより、押え片１３Ａにおいては接着剤５０の一部が軒樋２の端部２ａの先端により当接部２６Ａに寄せられ、押え片１３Ａにおいては貫通孔３４内に充填される。また、押え片１３Ｂにおいては、接着剤５０の一部が当接部２６Ｂと軒樋２の端部２ａとの間に溜められる。したがって、軒樋２が嵌合凹所１２，１２に嵌合するとともに、接着剤５０により樋状体１０に強固に固定される。
【００３１】
以上より、軒樋継手１によれば、図５に示すように樋状体１０の前方側壁部１６側に設けられた押え片１３Ａの当接部２６Ａが、挟持壁部２５Ａの長手方向の一端部２７と中央部近傍との間において連結しない構成となっている、すなわち、前方側壁部１６がその中央部付近の一部においてのみ当接部２６Ａと連結する構成になっている。したがって、前方側壁部１６の外壁面においてヒケが発生する箇所が限定的となって目立ちにくくなるため、軒樋継手１の外観性が向上するという効果が得られる。
【００３２】
また、当接部２６Ａが、挟持壁部２５Ａの一端部２７と中間部２８から他端部２９に至るまでの部分Ｐ１とにおいて内壁面１１と挟持壁部２５Ａとを連結させているため、内壁面１１と挟持壁部２５Ａとの間に軒樋２の肉厚寸法の隙間３５（図４参照）を確実に形成することができる。また、同様の理由から押え片１３Ａの樋状体１０に対する固定を強固にすることができるという効果が得られる。
【００３３】
また、当接部２６Ａの貫通孔３４が形成されている領域には、内壁面１１と挟持壁部２５Ａとの間に挟持壁部２５Ａ側に連結する当接補助部３３が設けられている。
したがって、この当接補助部３３が当接部２６Ａの強度を高め、軒樋２の端部２ａを嵌合させた際に押え片１３Ａが破損することを効果的に防止することができる。
【００３４】
また、当接補助部３３が設けられていることにより貫通孔３４の開口面積が小さくなるため、軒樋２の端部２ａの嵌合時に接着剤５０で貫通孔３４が埋まりやすくなり、軒樋２の端部２ａの樋状体１０への固定がより強固になるという効果が得られる。
また、軒樋継手１を用いて複数の軒樋２，２を接続させた軒樋の接続構造６０（図２参照）によれば、軒樋継手１を含む軒樋２，２の全体の外観性が向上するという効果が得られる。
【００３５】
また、軒樋継手１によれば、メタリック粉末を含有する合成樹脂により形成されている場合であっても、外観として現れるヒケを有効に抑制することができるという効果が得られる。
【００３６】
以上、本発明の軒樋継手１の一実施形態について説明したが、本発明は、上記実施形態で示した構成に限定されるものではなく、本発明の趣旨を逸脱しない範囲で変更することができる。
すなわち、上記実施形態は、“曲り”タイプの軒樋継手１を用いて説明したが、本発明の軒樋継手１は、直線状に形成された軒樋継手にも用いることができる。
【００３７】
また、上記実施形態の軒樋継手１は、断面が多角形状の樋状体１０を用いて説明したが、樋状体１０の内壁面１１に軒樋２の端部２ａを嵌合させる押え片１３Ａを設けるものであれば、どのような断面形状の軒樋継手１にも適用することができる。
【００３８】
また、当接部２６Ａにおいて内壁面１１と挟持壁部２５Ａとを連結させる連結部Ｃ１，Ｃ２は、内壁面１１と挟持壁部２５Ａとの隙間３５を適切に形成し、軒樋２の端部２ａを当接させることができる限り、挟持壁部２５Ａの長手方向のいずれの箇所に設けられていてもよい。
【００３９】
ただし、内壁面１１と挟持壁部２５Ａとの連結部Ｃ１，Ｃ２は、少なくとも挟持壁部２５Ａの一端部２７近傍と他端部２９近傍に設けられていることが望ましい。当接部２６Ａをこのように形成することによって、挟持壁部２５Ａの内壁面１１側への倒れ込みを効果的に防止することができるとともに、樋状体１０の外壁面においてヒケが発生することを防止することができるという効果が得られる。
【００４０】
また、当接部２６Ａと内壁面１１と連結させない貫通孔３４は、前方側壁部１６に沿う位置のみならず、図６に仮想線５５，５６，５７で示すように、図１に示す軒先Ｅの下方から人が目に付き得る部分、例えば水切り部１７の下部、底壁部１４に沿う部分に形成されていてもよい。この場合にも、軒樋継手１の外観性をより一層向上させることができるという効果が得られる。
【００４１】
また、上記実施形態においては、当接部２６Ａが、当接補助部３３を有する構成となっているが、当接補助部３３は必ずしも設けられていなくてもよい。
このような構成であっても、ヒケの発生を抑えることはできる。
【００４２】
また、当接補助部３３を設けない場合であっても、挟持壁部２５Ａの長手方向で適宜内壁面１１と挟持壁部２５Ａとを連結させていれば、押え片１３Ａを安定的に樋状体１０の内壁面１１に固定することができるとともに、軒樋２の端部２ａを嵌合させた際に貫通孔３４を接着剤５０で埋め、押え片１３Ａの樋状体１０に対する固定を強固にすることができるという効果が得られる。
【符号の説明】
【００４３】
１      軒樋継手    
２      軒樋
２ａ    軒樋２の端部
１０    樋状体
１０ａ  端部
１１    内壁面
１２    嵌合凹所
１３Ａ  押え片
１３Ｂ  押え片
２５Ａ  挟持壁部
２５Ｂ  挟持壁部
２６Ａ  当接部
２６Ｂ  当接部
２７    一端部（両端部）
２９    他端部（両端部）
３０    樋状体の開口部
３２    当接部の一端部
３３    当接補助部
Ｒ      流路
【図１】
2015040388.tif 000003
【図２】
2015040388.tif 000004
【図３】
2015040388.tif 000005
【図４】
2015040388.tif 000006
【図５】
2015040388.tif 000007
【図６】
2015040388.tif 000008